(57)【要約】  【課題】後部側壁の内面を構成する複数の車体パネルに対して取付けられたドアロック制御装置を、後方衝突時においても効果的に保護できるようにする。  【解決手段】車両の後部側壁の内面を構成するインナパネルが、車体パネル２１、２２の外周縁部同士を接合することにより構成される。ドアロック制御装置Ｕは、取付部材４１を介して、車体パネル２１、２２に対してそれぞれ固定される。取付部材４１は、ドアロック制御装置Ｕが取付けられる本体部４２と、本体部４２から車幅方向外方側に向けて延びて、複数の車体パネル２１、２２に対して取付けられる複数の脚部４３〜４５を有する。下側に位置する車体パネル２２への取付部となる脚部４５が、上側に位置する車体パネル２１への取付部となる脚部４３、４４よりも、後方からの衝突荷重に対して容易に変形するように設定されている。【選択図】  図５
2016112948.tif 000002
【特許請求の範囲】
【請求項１】
車両の衝突から所定時間経過後にオートドアロックを解除するドアロック制御装置が、車両の後部側壁の内面に沿うように配設され、
前記後部側壁の内面が、複数の車体パネルの外周縁部同士を接合することにより構成されており、
前記ドアロック制御装置は、取付部材を介して、前記複数の車体パネルに対してそれぞれ固定され、
前記取付部材は、前記ドアロック制御装置が取付けられる本体部と、該本体部から車幅方向外方側に向けて延びて、前記複数の車体パネルに対して取付けられる複数の脚部を有し、
前記複数の脚部のうち異なる前記車体パネルへ取付けられる脚部の間で、後方からの衝突荷重に対する変形容易性が相違するように設定されている、
ことを特徴とする車載機器の配設構造。
【請求項２】
請求項１において、
前記複数の車体パネルとして、それぞれ後部側壁のインナパネルとなる少なくとも第１車体パネルと第２車体パネルとを有し、
前記複数の脚部として、前記第１車体パネルに取付けられる第１脚部と、前記第２車体パネルに取付けられる第２脚部とを有し、
前記第１脚部と前記第２脚部とのうち一方の脚部が他方の脚部に対して、後方からの衝突荷重に対して容易に変形するように設定されている、
ことを特徴とする車載機器の配設構造。
【請求項３】
請求項２において、
前記第２車体パネルが、前記第１車体パネルの下方に位置して該第１車体パネルに接合されており、
前記第１脚部が、複数設けられて、前記第１車体パネルに取付けられ、
前記第２脚部、１つのみとされて前記第２車体パネルに取付けられ、
後方からの衝突荷重を受けたときに、前記第２脚部が前記第１脚部よりも容易に変形するように設定されている、
ことを特徴とする車載機器の配設構造。
【請求項４】
請求項１ないし請求項３のいずれか１項において、
前記ドアロック制御装置は、ほぼ上下方向に延びるように前記本体部に取付けられ、
前記複数の脚部はそれぞれ、前記本体部に対する連結部位となる稜線がほぼ上下方向に延びるように形成されている、
ことを特徴とする車載機器の配設構造。
【請求項５】
請求項１ないし請求項４のいずれか１項において、
前記ドアロック制御装置用のバックアップ電源が、該ドアロック制御装置を車幅方向内方側から覆うように配設され、
前記バックアップ電源は、前記ドアロック制御装置を車幅方向内方側から覆うように配設された連結部材を介して、前記取付部材に固定されている、
ことを特徴とする車載機器の配設構造。
【請求項６】
請求項１ないし請求項５のいずれか１項において、
前記ドアロック制御装置が、リアホイールハウスの後上方に配設されている、ことを特徴とする車載機器の配設構造。
【発明の詳細な説明】
【技術分野】
【０００１】
本発明は、車載機器の配設構造に関するものである。
【背景技術】
【０００２】
車両の中には、走行を検出したとき等に自動的にドアロックを行うオートドアロック装置を有しているものがある。特許文献１には、車両の衝突時に、乗員の脱出あるいは救出のために、オートドアロックを解除するドアロック制御装置を設けると共に、バックアップ電源を設けて、バッテリ電源が確保できない状態でも、バックアップ電源からドアロック制御装置やドアロック解除用の電磁式アクチュエータへの給電を行えるようにしたものが開示されている。
【０００３】
特許文献２には、車両の後部側壁の内面に沿って、より具体的にはリアホイールハウスの上方において、減速時の回生エネルギ回収のためのキャパシタおよびＤＣ／ＤＣコンバータを車幅方向において重なるように配設し、さらにその車幅方向内方側に、パワースライドドアの駆動ユニットを配設したものが開示されている。
【先行技術文献】
【特許文献】
【０００４】
【特許文献１】特開２０１４−３３５３３号公報
【特許文献２】特開２０１１−１８３９４３号公報
【発明の概要】
【発明が解決しようとする課題】
【０００５】
前述したドアロック制御装置によるオートドアロック解除は、衝突時における乗員脱出や救出のために重要性が高いものであり、車両の衝突時においても確実に作動させる（ドアロックを解除する）ことが望まれることになる。車両の衝突対応として、車両の後部側壁の内面に沿う位置は、剛性の高いリアホイールハウスが付近に存在すると共に特許文献２に示すように車載機器の配設スペースを確保しやすいことから、保護すべき車載機器を配設するスペースとしては好ましいものである。
【０００６】
一方、車両の後部側壁の内面を構成する部材が、複数の車体パネルの外周縁部同士を接合することにより構成される場合があり、ドアロック制御装置を、複数の車体パネルに対して取付けざるを得ない場合がある。この場合、特に後方衝突時において、複数の車体パネル同士が相対的に変位して、ドアロック制御装置に大きな外力が加わる可能性があり、この点において何らかの対策が望まれることになる。
【０００７】
本発明は以上のような事情を勘案してなされたもので、その目的は、ドアロック制御装置を後部側壁の内面を構成する複数の車体パネルに対して取付けた場合に、後方衝突時においてもドアロック制御装置を効果的に保護できるようにした車載機器の配設構造を提供することにある。
【課題を解決するための手段】
【０００８】
前記目的を達成するため、本発明にあっては次のような解決手法を採択してある。すなわち、請求項１に記載のように、
車両の衝突から所定時間経過後にオートドアロックを解除するドアロック制御装置が、車両の後部側壁の内面に沿うように配設され、
前記後部側壁の内面が、複数の車体パネルの外周縁部同士を接合することにより構成されており、
前記ドアロック制御装置は、取付部材を介して、前記複数の車体パネルに対してそれぞれ固定され、
前記取付部材は、前記ドアロック制御装置が取付けられる本体部と、該本体部から車幅方向外方側に向けて延びて、前記複数の車体パネルに対して取付けられる複数の脚部を有し、
前記複数の脚部のうち異なる前記車体パネルへ取付けられる脚部の間で、後方からの衝突荷重に対する変形容易性が相違するように設定されている、
ようにしてある。
【０００９】
本発明によれば、ドアロック制御装置を複数の車体パネルに対して取付けた場合に、車両の後方衝突時にある車体パネルが他の車体パネルに対して相対変位されても、脚部の変形容易性の相違によりこの相対変位が吸収されて、ドアロック制御装置に無理が外力が作用するのが防止されてその保護が効果的に行われ、ドアロック解除を確実に行う上で好ましいものとなる。
【００１０】
上記解決手法を前提とした好ましい態様は、特許請求の範囲における請求項２以下に記載のとおりである。すなわち、
前記複数の車体パネルとして、それぞれ後部側壁のインナパネルとなる少なくとも第１車体パネルと第２車体パネルとを有し、
前記複数の脚部として、前記第１車体パネルに取付けられる第１脚部と、前記第２車体パネルに取付けられる第２脚部とを有し、
前記第１脚部と前記第２脚部とのうち一方の脚部が他方の脚部に対して、後方からの衝突荷重に対して容易に変形するように設定されている、
ようにしてある（請求項２対応）。この場合、ドアロック制御装置が２枚の車体パネルに対して取付けられた場合において、請求項１に対応した効果を得ることができる。
【００１１】
前記第２車体パネルが、前記第１車体パネルの下方に位置して該第１車体パネルに接合されており、
前記第１脚部が、複数設けられて、前記第１車体パネルに取付けられ、
前記第２脚部、１つのみとされて前記第２車体パネルに取付けられ、
後方からの衝突荷重を受けたときに、前記第２脚部が前記第１脚部よりも容易に変形するように設定されている、
ようにしてある（請求項３対応）。この場合、車両の後方衝突時に、下方に位置する第２車体パネルが、上方に位置する第１車体パネルに対して大きく前方へ相対変位する可能性が高いものとなるが、ドアロック制御装置を、第２車体パネルに対して大きく相対変位させつつ第１車体パネル側に保持させるようにして、請求項１に対応した効果を得ることができる。
【００１２】
前記ドアロック制御装置は、ほぼ上下方向に延びるように前記本体部に取付けられ、
前記複数の脚部はそれぞれ、前記本体部に対する連結部位となる稜線がほぼ上下方向に延びるように形成されている、
ようにしてある（請求項４対応）。この場合、各脚部は前後方向への変形が容易かつ大きなストロークが確保されるような設定となって、車両の後方衝突時に、後方からの荷重によって脚部の変形が十分に大きく行われるようにして、請求項１に対応した効果をより一層十分に得る上で好ましいものとなる。
【００１３】
前記ドアロック制御装置用のバックアップ電源が、該ドアロック制御装置を車幅方向内方側から覆うように配設され、
前記バックアップ電源は、前記ドアロック制御装置を車幅方向内方側から覆うように配設された連結部材を介して、前記取付部材に固定されている、
ようにしてある（請求項５対応）。この場合、バッテリ電源が喪失されるようなときでも、バックアップ電源を利用して、ドアロック制御装置によるドアロック解除を行う上で好ましいものとなる。また、バックアップ電源を、ドアロック制御装置に対して車幅方向に重なるように配設して、全体的にコンパクトに配設しつつ、車両の後方衝突時に当該ドアロック制御装置とバックアップ電源とが一体的に変位されるようにして、バックアップ電源を利用したドアロック解除を確実に行う上で好ましいものとなる。
【００１４】
前記ドアロック制御装置が、リアホイールハウスの後上方に配設されている、ようにしてある（請求項６対応）。この場合、リアホイールハウスの後上方空間を有効に利用してドアロック制御装置を配設することができる。また、ドアロック制御装置の付近に剛性の優れたリアホイールハウスが位置されるので、ドアロック制御装置をより効果的に保護する上でも好ましいものとなる。
【発明の効果】
【００１５】
本発明によれば、ドアロック制御装置を後部側壁の内面を構成する複数の車体パネルに対して取付けた場合に、後方衝突時においてもドアロック制御装置を効果的に保護することができる。
【図面の簡単な説明】
【００１６】
【図１】本発明が適用された車両の左側の後部側壁部分を示す要部側面断面図。
【図２】図１の状態からリアトリムを取外した状態を示す要部側面断面図。
【図３】後部側壁の内面を構成する複数の車体パネルの配置関係を示す説明図で、図２に対応した図。
【図４】図３に示す複数の車体パネルのうち、ドアロック制御装置の取付け部位付近を拡大して示す図。
【図５】複数の車体パネルに対してドアロック制御装置およびそのバックアップ電源を取付けた状態を示す図。
【図６】図５に示すドアロック制御装置とバックアップ電源とに対するハーネスの接続例を示す図。
【図７】図６におけるドアロック制御装置等を前方から見た要部断面図。
【図８】ドアロック制御装置とバックアップ電源と取付部材と連結部材とを示す分解斜視図。
【図９】ドアロック制御装置とバックアップ電源と取付部材と連結部材との組立体を示す平面図。
【図１０】図９の斜め後方斜視図。
【図１１】図９の斜め前方斜視図。
【図１２】図９を後方から見た図。
【図１３】図９を前方から見たときの図。
【図１４】ドアロック制御装置の平面図。
【図１５】図１４に示すドアロック制御装置を矢印Ｙ１５方向から見た図。
【図１６】図１４に示すドアロック制御装置を矢印Ｙ１６方向から見た図。
【図１７】バックアップ電源を有する場合においてハーネスを一体化するための取付具の取付け例を示す図。
【図１８】バックアップ電源を有しない場合においてハーネスを一体化するための取付具の取付け例を示す図。
【発明を実施するための形態】
【００１７】
車両の左側の後部側壁を示す図１において、車両は、特許文献２に記載の車両と同様に、前後に３列のシートを有する車両とされている。図中、１はフロアパネル、２はフロアパネル１の下面に接合されて閉断面を構成する左側のリアサイドフレーム、３はＣピラー、４はＤピラーである。また、５はルーフパネル、６はルーフレインレール、７はクオータウインドである。さらに、図中８は、図示を略すバックドアにより開閉されるバックドア開口の枠部を構成する枠部材である。図１においては、クオータウインド７下方の後部側壁部はリアトリム９により覆われた状態が示される。なお、図１中、１０は、左側の後輪である。
【００１８】
図２は、図１の状態からリアトリム９を取外した状態を示す。この図２において、後述するドアロック制御装置Ｕを含む組立体Ｓおよび他の車載機器Ｕ２の配設位置が、一点鎖線でもって簡略的に示される。
【００１９】
図３は、後部側壁の内面が複数の車体パネルによって構成されていることを示すもので、複数の車体パネルを区別するため、一部の車体パネルには、ドットや破線を付して示してある。すなわち、ドットを付して示す車体パネル２１は、クオータウインド７の下縁部およびその付近を構成するインナパネルである。また、ハッチングを付して示す車体パネル２２は、車体パネル２１の下方に位置されて、その上縁部が車体パネル２１の下縁部に接合されている。車体パネル２２は、リアホイールハウスアウタとなるもので、この車体パネル２２には、リアホイールハウス（を構成するインナパネル）２３が接合されている。すなわち、リアホイールハウス２３の接合フランジ部２３ａが、車体パネル２２に接合されている。なお、車体パネル２１、２２の後方には、インナパネルが存在せず、後部側壁を構成するアウタパネルが符号２４で示される。なお、後部側壁のうち、車体パネル２１、２２が存在する部分は、当該車体パネル２１、２２とアウタパネル２４とによって、袋状に構成されているものである。
【００２０】
図３中、３１は、リアホイールハウス２３の上部に接合されて、図示を略すリアダンパが取付けられる補強部材である。また、３２は、フロアパネル１の上面に接合された車幅方向に延びるクロスメンバで、クロスメンバ３２の車幅方向外端部が、リアホイールハウス２３の内面に沿ってその上部にまで延長されて、リアホイールハウス２３を補強している。
【００２１】
ドアロック制御装置Ｕは、図５〜図７に示すように、そのバックアップ電源ＢＤと共に、複数（実施形態では２枚）の車体パネル２１、２２の両方に取付けられるようになっている。ドアロック制御装置Ｕは、取付部材４１を介して車体パネル２１、２２に取付けられ、バックアップ電源ＢＤは、連結部材５１を介して、取付部材４１に取付けられる。
【００２２】
以下、ドアロック制御装置Ｕ、バックアップ電源ＢＤ、取付部材４１、連結部材５１について、図８〜図１６をも参照しつつ、順次説明する。まず、ドアロック制御装置Ｕは、例えば車両の走行を検出すると自動的にドアロックする一方、車両の衝突が検出されたときに、衝突検出から所定時間（例えば１０秒〜３０秒）経過した後にドアロックを解除するように制御するものである。すなわち、ドアロック制御装置Ｕは、図示を略す前後左右の各サイドドアに設けられた電磁式のアクチュエータへの通電制御により、オートドアロックされた各サイドドアのロックを解除する。
【００２３】
特に図１４〜図１６に示すように、ドアロック制御装置Ｕは、実施形態では、薄型の直方体形状とされて、その長手方向における一側面には２つの接続部６１、６２が設けられ（図１５参照）、その短手方向の一側面には、２つの接続部６３、６４が設けられている（図１６参照）。接続６１は、電力関係の接続部で、バックアップ電源ＢＤからの受電と、ドアロックおよびその解除を行うためのアクチュエータへの給電用の端子となっている。接続部６２、６３は、車体後部に設けた電気機器類への給電制御用の端子で、例えば、リアランプ、バックランプ、ストップランプ、リアワイパ、リアウオッシャ、バーグラアラーム等への通電制御用となっている。接続部６４は、ルームランプ等の通電制御用となっている。
【００２４】
このように、ドアロック制御装置Ｕは、基本的に、ＢＣＭ（Body Controle Module）によって構成されて、既存のＢＣＭ機能に、オートドアロックに関する制御機能を付加されたものとされている。換言すれば、実施形態におけるドアロック制御装置Ｕは、オートドアロックの機能を有しない車両向けと、オートドアロック機能を有する車両向けとで共通化されたものとなっている。
【００２５】
バックアップ電源ＢＤは、図８〜図１３に示すように、全体的に略直方体形状とされている。このバックアップ電源ＢＤは、図示を略すバッテリからの充電作用によって、常時所定の電力量を蓄電している（バックアップ電源ＢＤからバッテリへの逆流は逆流防止ダイオード等を設けることにより防止されている）。バックアップ電源ＢＤからは、ドアロック制御装置Ｕへの給電が行われると共に、当該ドアロック制御装置Ｕを介してドアロック用（施錠、解錠用）のアクチュエータへの給電が行われる。
【００２６】
取付部材４１は、例えば鉄板等の金属板を曲げ加工することにより構成されている。すなわち、特に図８に示すように、取付部材４１は、平板状の本体部４２を有し、この本体部４２は、取付状態においては車体パネル２１、２２と略並行に延びるようにされる。本体部４２には、間隔をあけて２つの切欠部４２ａ、４２ｂが形成されている。この切欠部４２ａ、４２ｂに対応して、ドアロック制御装置Ｕには、係止凸部６５と、係止爪部６６とが突設されている。係止凸部６５を切欠部４２ａに斜めに挿入した状態で、係止爪部６６を切欠部４２ｂに強く押し込むことにより、係止爪部６５が弾性変形しつつ切欠部４２ｂに挿入され、挿入後は、係止爪部６５の弾性復帰作用によって、切欠部４２ｂの周縁部に係止される。このように、本体部４２へのドアロック制御装置Ｕの取り付けは、嵌合作用によって行うようにしてあるが、ねじ止め等、適宜の固定手法を採択できる。
【００２７】
本体部４２からは、車幅方向外側に向けて延びる複数（実施形態では３つ）の脚部４３〜４５が延設されている。３つの脚部４３〜４５のうち、２つの脚部４３、４４は、車体パネル２１に固定具としてのねじ７１により固定されている。残りの１つの脚部４５は、車体パネル２２に対して、固定具としてのねじ７２により固定されている。
【００２８】
脚部４３と４５とは、車体パネル２１、２２への取り付け状態において略上下方向に延びる本体部４２の後部から延設されて、上下に離間している。そして、各脚部４３、４５の本体部４２への連結部位となる稜線（折り曲げ部）が、略上下方向に延びるように設定されている。本体部４２の車体パネル２１、２２への取り付け状態において、脚部４４は、本体部４２の上下方向略中間部において形成されて、本体部４２との連結部位となる稜線も、略上下方向に延びるように設定されている。
【００２９】
３つの脚部４３〜４５のうち、上側に位置する車体パネル２１に取付けられる２つの脚部４３、４４の剛性（特に後方からの衝突荷重を受けたときの剛性）が、下側の車体パネル２２に取付けられた脚部４５の剛性（（特に後方からの衝突荷重を受けたときの剛性）よりも高くなるように設定されている。すなわち、脚部４５が、脚部４３、４４よりも容易に変形し易いものとされているが、このような設定は、例えば、脚部４５の幅を脚部４３、４４の幅よりも小さくなるように設定したり、脚部４５の長さを脚部４３、４４の長さよりも長く設定したり、脚部４５に部分的に弱化部としての切欠や孔を形成する設定にしたり、上記各設定の任意の複数の組み合わせにより行う等、適宜の手法を採択し得る。
【００３０】
略直方体形状とされたバックアップ電源ＢＤは、例えば鉄板等の金属板を曲げ加工することにより構成された連結部材５１を介して、取付部材４１に取付けられる。すなわち、連結部材５１は、取付部材４１の本体部４２と略並行に延びる大きな面積を有する平板状の本体部５２と、本体部５２から車幅方向外方側に向けて延びる複数（実施形態では３つ）の脚部５３〜５５を有する。脚部５３と５４とは、本体部５２の幅方向反対側に形成されて、本体部５２と共働してドアロック制御装置Ｕを車室内側から包被するように形成されている。また、脚部５５は、本体部５２の長手方向一端部側に形成されている。
【００３１】
取付部材４１の本体部４２には、連結部材５１の複数（実施形態では３つ）の脚部５３〜５５に対応して、複数（実施形態では３つ）の取付フランジ部４６（それぞれ取付孔が形成されている）が形成されている。取付フランジ部４６に対して、連結部材５１の各脚部５３〜５５が、固定具としてのねじ５６によって固定されている。バックアップ電源ＢＤは、固定具としてのねじ５７によって、連結部材５１の本体部５２に固定されている。
【００３２】
図９〜図１３に示すようなドアロック制御装置Ｕとバックアップ電源ＢＤと取付部材４１と連結部材５１との組立体（セット体）Ｓは、図５、図６に示すようにして、後部側壁の内面に沿うように取り付けられる。この取り付け状態において、ドアロック制御装置Ｕおよびバックアップ電源ＢＤは、その長手方向が略上下方向となるようにされる。そして、取付部材４１の各脚部４３〜４５の稜線（本体部４２への連結部位となる折曲部）も、略上下方向に延びるようにされる。これにより、後方衝突時において、車体パネル２１と２２とが相対的に変位したときに、車体パネル２２への取付用となる脚部４５が容易に撓み変形しつつ、上記組立体Ｓは、全体的に車体パネル２１の変位応じて変位されることになる。これにより、組立体Ｓとしての状態が維持されたままとされる。この場合、容易に変形しやすい脚部４５は、後方からの衝突荷重を受けた際の車体パネル２１と２２との相対変位に応じて破断されるように設定することもできる。
【００３３】
次に、ドアロック制御装置Ｕおよびバックアップ電源ＢＤに関連したハーネスの配設について説明する。まず、図６に示すように、主ハーネスとしての太いハーネス（ハーネスの集合体）８０が、車体下部に沿って配設されて、取付部材４１と車体パネル２１、２２との間を通って、後方へと延設されている。つまり、取付部材４１（の脚部４３〜４５）がハーネス８０を跨ぐことにより、ハーネス８０を後部側壁に沿って配設できるようにしてある（ハーネス８０を、適宜の押さえ治具等によって後部側壁に取り付けて、その撓みを防止する等の上で好ましいものとなる）。
【００３４】
上記ハーネス８０からは、組立体Ｓの直前方位置において分岐ハーネス８１が分岐され、この分岐ハーネス８１がさらに４本の分岐ハーネス８２〜８５に分岐されている。分岐ハーネス８２は、ドアロック制御装置Ｕの接続部６１に接続されている。分岐ハーネス８３は、ドアロック制御装置Ｕの接続部６２に接続されている。分岐ハーネス８４は、ドアロック制御装置Ｕの接続部６３に接続されている。分岐ハーネス８５は、バックアップ電源ＢＤに接続されている。なお、分岐ハーネス８５は、バッテリからバックアップ電源ＢＤへの給電用となる他、バックアップ電源ＢＤからの電力を一旦ハーネス８０と８１との分岐部に戻した後、分岐ハーネス８２としてドアロック制御装置Ｕに給電するためのものとなっている（バックアップ電源ＢＤからドアロック解除用のアクチュエータへの給電は、ドアロック制御装置Ｕを介して行われる）。上述の説明から明かなように、分岐ハーネス８２と８５とが、バックアップ用ハーネスを構成している。
【００３５】
図６に示すように、ハーネス８０は、組立体Ｓの直後方から、分岐ハーネス８６が分岐されて、この分岐ハーネス８６が、ドアロック制御装置Ｕの接続部６４に接続されている。なお、組立体Ｓの直前方位置においてハーネス８０から２本の分岐ハーネス８７、８８が分岐されているが、この分岐ハーネス８７、８８は、図２一点鎖線で示す他の車載機器Ｕ２へ接続されるものとなっている。
【００３６】
ここで、ドアロック制御装置Ｕやバックアップ電源ＢＤに接続される複数の分岐ハーネス８２〜８５を束ねた分岐ハーネス８１は、組立体Ｓ（実施形態では連結部材５１）に対して、取付具９０によって固定される（図６、図７参照）。具体的には、図１７において簡略的に示すように、連結部材５１の脚部５４に、リング状の取付具９０が固定されて、この取付具９０に分岐ハーネス８１が包被されるようにして保持されている。なお、取付具９０は、例えば、開閉可能な環状としたり、Ｃリング状にする等、ハーネスを保持する従来既知の適宜のものを利用できる。このように、分岐ハーネス８１を組立体Ｓに取付ける（固定する）ことにより、分岐ハーネス８１およびこれからさらに分岐された分岐ハーネス８２〜８５（特にドアロック解除に関連して電力系となる分岐ハーネス８２と８５）は、後方衝突時に組立体Ｓと共に一体的に変位されて、バックアップ電源ＢＤを利用したドアロック解除機能を確実に得る上で好ましいものとなる。また、特にドアロック解除に関連して電力系となる分岐ハーネス８２と８５は、組立体Ｓの前方および下方に位置するのみで、後方へは位置しないように（取り回さない）ようにするので、後方衝突時でのハーネス保護の上でより好ましいものとなる。
【００３７】
ここで、車種によっては、オートドアロック機能を有しない車両がある。この場合には、前記取付具９０を、取付部材４１に固定するようにすればよい。すなわち、図１６、図１７に示すように、取付部材４１には、連結部材５１（の脚部）が取付けられる取付孔９５の他に、取付具９０用の取付孔９６が形成されている。そして、バックアップ電源ＢＤを使用するときは、図１７に示すように、連結部材５１に対して取付具９０が取付けられる（取付孔９６は使用されない）。また、バックアップ電源ＢＤを使用しないときは、図１８に示すように、取付具９０が取付孔９６に取付けられる（取付孔９５は使用されない）。このようにして、取付部材４１は、バックアップ電源ＢＤを有する場合と有しない場合とで共通化されている。
【００３８】
以上実施形態について説明したが、本発明は、実施形態に限定されるものではなく、特許請求の範囲の記載された範囲において適宜の変更が可能である。車両としては、前後に２列シートである等、シート列数は問わないものである。右側の後部側壁側にドアロック制御装置Ｕやバックアップ電源ＢＤを配設するようにしてもよい。バックアップ電源ＢＤを有しないものであってもよい。ドアロック制御装置Ｕとバックアップ電源ＢＤとを接続する電力系統のハーネス（８２と８５）は、組立体Ｓの上方、前方あるいは後方から、ドアロック制御装置Ｕあるいはバックアップ電源ＢＤに接続されるようにしてもよいが、後方からの接続は衝突時でのハーネスの保護の観点から避けるのが好ましい。取付部材４１（の脚部）が固定される部位となる車体パネルの数は３枚以上であってもよく、この場合、後方衝突時にもっとも変形しにくいある１つの車体パネルに対して取付部材４１をしっかりと結合する一方、他の車体パネルに対する結合を弱いものとするのが好ましい。取付部材４１と連結部材５１とを共通の１つの部材により構成して、この共通の１つの部材に対してドアロック制御装置Ｕおよびバックアップ電源ＢＤを取付けるようにしてもよい。勿論、本発明の目的は、明記されたものに限らず、実質的に好ましいあるいは利点として表現されたものを提供することをも暗黙的に含むものである。
【産業上の利用可能性】
【００３９】
本発明は、オートドアロックを解錠するためのドアロック制御装置の好ましい配設構造を提供できる。
【符号の説明】
【００４０】
Ｕ：ドアロック制御装置
ＢＤ：バックアップ電源
Ｓ：組立体（ドアロック制御装置とバックアップ電源と取付部材と連結部材）
１：フロアパネル
２：リアサイドフレーム
３：Ｃピラー
４：Ｄピラー
５：ルーフパネル
６：ルーフレインレール
７：クオータウインド
９：リアトリム
１０：後輪（左側）
２１：車体パネル（第１車体パネル）
２２：車体パネル（第２車体パネル）
２３：リアホイールハウス
２４：アウタパネル
４１：取付部材
４２：本体部
４２ａ、４２ｂ：切欠部（ドアロック制御装置取付用）
４３〜４５：脚部
４６：取付フランジ部（連結部材の取付用）
５１：連結部材
５２：本体部
５３〜５５：脚部
５６：ねじ（取付部材への取付用）
５７：ねじ：（バックアップ電源の連結部材への取付用）
６１：接続部（バックアップ電源との接続用）
６２〜６４：接続部
６５：係止凸部
６６：係止爪部
７１、７２：ねじ（取付部材の車体パネルへの固定用）
８０：ハーネス（主ハーネス）
８１：分岐ハーネス（バックアップ用ハーネスを含む）
８２：分岐ハーネス（バックアップ用ハーネス）
８５：分岐ハーネス（バックアップ用ハーネス）
９０：取付具（バックアップ用ハーネスの固定用）
９５：取付孔（連結部材用）
９６：取付孔（バックアップ用ハーネスの取付具用）
【図１】
2016112948.tif 000003
【図２】
2016112948.tif 000004
【図３】
2016112948.tif 000005
【図４】
2016112948.tif 000006
【図５】
2016112948.tif 000007
【図６】
2016112948.tif 000008
【図７】
2016112948.tif 000009
【図８】
2016112948.tif 000010
【図９】
2016112948.tif 000011
【図１０】
2016112948.tif 000012
【図１１】
2016112948.tif 000013
【図１２】
2016112948.tif 000014
【図１３】
2016112948.tif 000015
【図１４】
2016112948.tif 000016
【図１５】
2016112948.tif 000017
【図１６】
2016112948.tif 000018
【図１７】
2016112948.tif 000019
【図１８】
2016112948.tif 000020